【手続補正書】
【提出日】平成27年2月5日(2015.2.5)
【手続補正１】
【補正対象書類名】明細書
【補正対象項目名】００１９
【補正方法】変更
【補正の内容】
【００１９】
さらに、締り嵌めをもたらすことに加えて、またはその代わりに、本体部１２Ａ内にピン３０を固定するために回転式機械的固定具が設けられてもよい。例えば、図４に示されるように、開口部４０を画定する面に設けられた凹部４４内に嵌まり得る１つ以上のリップ部４２が、ピン鍔部３８に設けられてもよい。第一ピン端部３４は円形の断面を有してもよく、あるいは本体部１２Ａに対するピン３０の回転を抑制するために、第一ピン端部３４が１つ以上の比較的平らな面４６を有してもよい。上記で言及したように、ねじ部２０Ａはピン３０の第二ピン端部３６に画定されてもよい。開口部４０は、図５に示すように、本体部１２の長さに沿って延在してもよく、あるいは本体部の各端部に別々の開口部が設けられてもよい。
【手続補正２】
【補正対象書類名】明細書
【補正対象項目名】００２１
【補正方法】変更
【補正の内容】
【００２１】
実施形態によっては、スリーブ５０が第一の部分５２、５４間の本体部１２と同じ長さであってもよく、あるいは第一の部分５２、５４間の本体部１２の長さより短くてもよい。スリーブ５０は、隆起した突部またはスリーブの表面のくぼみを含む、多くの特徴を有してもよい。さらに、スリーブ５０は、比較的円筒状であるように例示されているが、１つ以上のスリーブが、肉片や繊維組織、野菜や果物の断片、または、シシ・カバブや「骨付き肉」の全体的な外観を呈する他の形状で設けられてもよい。他の実施形態において、スリーブは、他の形を形成する１つ以上のピースで形成されてもよく、単独で見た場合、または端部アセンブリと組み合わせられた場合に、動物、雪だるま、または他の無生物もしくは生物の外観を呈してもよい。
【手続補正３】
【補正対象書類名】明細書
【補正対象項目名】００４３
【補正方法】変更
【補正の内容】
【００４３】
端部ノブ６０は、また、開口部８０内にナット６２を保持するための構造的特徴を、側壁８２に備えてもよい。例えば、側壁８２から延出する棚部８８が設けられてもよい。一実施形態においては、ナット６２の鍔部７０が棚部８８と干渉してもよく、その場合、鍔部７０の外径が棚部８８の内径に比べて相対的に大きくてもよい。ナット６２の鍔部７０は、棚部８８を通過して開口部８０内に強く挿入されてもよい。すると、ナット６２は、鍔部７０と棚部８８との間の干渉によって保持され得る。鍔部７０ひいてはナット６２は、棚部８８と、側壁８２に形成された停止肩部９０との間において、開口部８０内で上下に摺動することができる。停止肩部９０は、ナットが端部ノブ内に挿入されたり、弾性部材に付勢する力がかけられたりした際に、端部ノブ内にある連結機構の部分への損傷を抑制することができる。
【手続補正４】
【補正対象書類名】特許請求の範囲
【補正対象項目名】全文
【補正方法】変更
【補正の内容】
【特許請求の範囲】
【請求項１】
動物用噛み具であって、
本体部の第一端部から延出する第一の一連のねじ部を備える本体部と、
端部アセンブリと、を備え、
該端部アセンブリは、
ナットであって、前記第一の一連のねじ部を受容するための、前記第一端部に画定された第一開口部と、前記ナットの外表面の少なくとも一部の周囲に延在する鍔部と、前記ナットの前記外表面から延出する１つ以上の鍵部と、を備えるナットと、
端部ノブであって、前記ナットの少なくとも一部分を受容する、側壁と端壁とによって画定された、該端部ノブの第一端部の第二開口部と、前記側壁の少なくとも一部分から延出し、前記第二開口部内において前記鍔部を保持する棚部と、前記１つ以上の鍵部を受容するための鍵溝と、を備える端部ノブと、
前記端部ノブの前記端壁と前記ナットとの間に位置する弾性部材と、を備える、
動物用噛み具。
【請求項２】
前記本体部が、該本体部の第二端部から延出する第二の一連のねじ部を備え、当該動物用噛み具が更に第二の端部アセンブリを備えることを特徴とする、請求項１に記載の動物用噛み具。
【請求項３】
第二の端部ノブを備える第二の端部アセンブリを更に備え、前記本体部が前記第一の一連のねじ部に対向する機械的連動装置を更に備え、該機械的連動装置が前記第二の端部ノブにより受容されることを特徴とする、請求項１又は２に記載の動物用噛み具。
【請求項４】
前記本体部の少なくとも一部分に亘って延在するスリーブを更に備えることを特徴とする、請求項１〜３の何れか１項に記載の動物用噛み具。
【請求項５】
前記スリーブが可食性材料を含むことを特徴とする、請求項４に記載の動物用噛み具。
【請求項６】
前記本体部が、前記スリーブより相対的に耐久性の高い材料により形成されていることを特徴とする、請求項４又は５に記載の動物用噛み具。
【請求項７】
前記弾性部材が圧縮バネを含むことを特徴とする、請求項１〜６の何れか１項に記載の動物用噛み具。
【請求項８】
前記弾性部材が付勢されて、前記ナットを前記端部ノブの前記端壁から遠ざけ、前記１つ以上の鍵部を前記鍵溝から解放することを特徴とする、請求項１〜７の何れか１項に記載の動物用噛み具。
【請求項９】
弾性部材を圧縮する力が前記端部ノブにかかると、前記１つ以上の鍵部が前記鍵溝と係合することを特徴とする、請求項８に記載の動物用噛み具。
【請求項１０】
更にピンを備え、該ピンが第一端部と、第二端部と、前記第一端部と前記第二端部との間に画定されたピン鍔部とを備え、前記ピンの前記第一端部が少なくとも部分的に前記本体部の開口部内に保持され、前記第一の一連のねじ部が前記ピンの前記第二端部に画定されることを特徴とする、請求項１〜９の何れか１項に記載の動物用噛み具。
【請求項１１】
前記本体部の前記開口部が、前記本体部の全長に沿って延在することを特徴とする、請求項１０に記載の動物用噛み具。
【請求項１２】
前記ピン鍔部がリップ部を備え、前記本体部の前記開口部が該リップ部を受容するための凹部を備えることを特徴とする、請求項１０又は１１に記載の動物用噛み具。 
【請求項１３】
動物用噛み具であって、
第一の回転式機械的固定具を備える本体部と、
前記本体部に着脱可能に取り付けられた端部アセンブリと、を備え、
該端部アセンブリが、
第二の回転式機械的固定具と第一の連結機構とを備えるナットと、
第一端部に画定された開口部であって前記ナットの少なくとも一部分が受容される開口部を備え、該開口部は、側壁における構造体であって前記ナットを保持するための構造体を含む側壁および端壁によって画定された開口部である、端部ノブであって、前記ナットの前記第一の連結機構と係合するための第二の連結機構を備える端部ノブと、
前記ナットおよび端部ノブが互いに対して回転可能である解放配置において、前記第一および第二の連結機構を付勢する弾性部材と、を備え、
力が前記端部ノブにかかると、前記第一および第二の連結機構が係合し、前記ナットおよび前記端部ノブが互いに対して回転不能になることを特徴とする、動物用噛み具。
【請求項１４】
前記第一の回転式機械的固定具が、一連のねじ部を備え、前記第二の回転式機械的固定具が、噛みあう一連のねじ部を備えることを特徴とする、請求項１３に記載の動物用噛み具。
【請求項１５】
前記第一の連結機構が１つ以上の鍵部を備え、前記第二の連結機構が該鍵部を受容するように構成された１つ以上の鍵溝を備えることを特徴とする、請求項１３又は１４に記載の動物用噛み具。
【請求項１６】
前記本体部に取り付けられたスリーブを更に備えることを特徴とする、請求項１３〜１５の何れか１項に記載の動物用噛み具。
【請求項１７】
前記スリーブが可食性樹脂組成物で形成されていることを特徴とする、請求項１６に記載の動物用噛み具。
【請求項１８】
第二の端部ノブを更に備え、前記本体部が第一の回転式機械的固定具と対向する機械的連動装置を更に備え、該機械的連動装置が該第二の端部ノブにより受容されることを特徴とする、請求項１３〜１７の何れか１項に記載の動物用噛み具。
【請求項１９】
前記ナットが鍔部を備え、前記側壁の前記構造体が棚部と停止肩部とを備え、前記鍔部が、前記棚部と停止肩部との間において、前記端部ノブ内で摺動可能であることを特徴とする、請求項１３〜１８の何れか１項に記載の動物用噛み具。
【請求項２０】
動物用噛み具であって、
第一の回転式機械的固定具を備える、前記動物用噛み具の第一の部分と、
前記動物用噛み具の第一の部分に着脱可能に取り付けられた、前記動物用噛み具の第二の部分と、を備え、
前記第二の部分が、
第二の回転式機械的固定具と第一の連結機構とを備えるナットと、
第一端部に画定された開口部であって少なくとも前記ナットの一部分が受容される開口部を備え、前記開口部は、側壁における構造体であって前記ナットを保持するための構造体を含む側壁および端壁によって画定された開口部である、係合・解放可能部材であって、前記ナットの前記第一の連結機構と係合する第二の連結機構を備える、係合・解放可能部材と、
前記ナットおよび係合・解放可能部材が互いに対して回転可能な解放配置において、前記第一および第二の連結機構を付勢する弾性部材と、を備え、 
力が前記係合・解放可能部材にかかると、前記第一および第二の連結機構が係合し、前記ナットおよび前記係合・解放可能部材が互いに対して回転不能となる、動物用噛み具。